(57)【要約】［課題］  隣接セルリストにカバレッジエリアが小さいセルや、負荷の高いセルが多く含まれている等、隣接セルリスト内のセルの数が、ある特定の条件を満たさない場合には、移動端末のハンドオーバ失敗率が高くなってしまう。［解決手段］  本発明による管理方法は、セルを管理する無線基地局から、前記無線基地局のセルの情報を収集する収集ステップと、前記収集したセルの情報に基づいて、前記無線基地局に隣接するセルのリスト内のセルの数が特定の条件を満たすように前記リストを変更するリスト変更ステップと、を含む。
2013031791.tif 000002
【特許請求の範囲】
【請求項１】
セルを管理する無線基地局から、前記無線基地局のセルの情報を収集し、
前記収集したセルの情報に基づいて、前記無線基地局に隣接するセルのリスト内のセルの数が特定の条件を満たすように前記リストを変更する、
ことを含む管理方法。
【請求項２】
前記セルの情報は、前記セルの負荷の情報を含む請求項１に記載の管理方法。
【請求項３】
前記管理方法は、さらに、
前記リスト内の各セルの負荷が第１の閾値を越えているかどうかを判定することを含み、
前記特定の条件は、前記負荷が第１の閾値を越えていると判定されたセルの数が、第２の閾値を越えないことを含む、請求項２に記載の管理方法。
【請求項４】
前記セルの情報は、前記セルのカバレッジエリアの面積の情報を含む請求項１から３のいずれか１つに記載の管理方法。
【請求項５】
前記管理方法は、さらに、
前記リスト内の各セルのカバレッジエリアが大きいか小さいかを判定することを含み、
前記特定の条件は、前記カバレッジエリアが小さいと判定されたセルの数が、第３の閾値を越えないことを含む、請求項４に記載の管理方法。
【請求項６】
前記リストの変更は、前記リスト内のセルのうち、前記特定の条件を満たすセルを前記リストの上位に並び替えることを含む、請求項１から５のいずれか１つに記載の管理方法。
【請求項７】
前記リストの変更は、前記リスト内のセルのうち、前記特定の条件を満たさないセルを前記リストから削除することを含む、請求項１から６のいずれか１つに記載の管理方法。
【請求項８】
セルを管理する無線基地局と接続する管理ノードであって、
前記無線基地局から、前記無線基地局のセルの情報を収集する収集手段と、
前記収集したセルの情報に基づいて、前記無線基地局に隣接するセルのリスト内のセルの数が特定の条件を満たすように前記リストを変更するリスト変更手段と、
を備える、管理ノード。
【請求項９】
セルを管理する無線基地局と、
前記無線基地局と接続する管理ノードと、
を備える通信システムであって、
前記管理ノードは、
前記無線基地局から、前記無線基地局のセルの情報を収集する収集手段と、
前記収集したセルの情報に基づいて、前記無線基地局に隣接するセルのリスト内のセルの数が特定の条件を満たすように前記リストを変更するリスト変更手段と、
を備える、通信システム。
【請求項１０】
セルを管理する無線基地局から、前記無線基地局のセルの情報を収集する収集処理と、
前記収集したセルの情報に基づいて、前記無線基地局に隣接するセルのリスト内のセルの数が特定の条件を満たすように前記リストを変更するリスト変更処理と、
をコンピュータに実行させるプログラムを記録した、プログラムの記録媒体。
【発明の詳細な説明】
【技術分野】
【０００１】
本発明は、通信装置を管理する管理方法、管理ノード、通信システム、およびプログラムの記録媒体に関する。
【背景技術】
【０００２】
無線通信の規格の１つとして、３ＧＰＰ（３ｒｄ  Ｇｅｎｅｒａｔｉｏｎ  Ｐａｒｔｎｅｒｓｈｉｐ  Ｐｒｏｊｅｃｔ）で標準化されているＬＴＥ（Ｌｏｎｇ  Ｔｅｒｍ  Ｅｖｏｌｕｔｉｏｎ）がある。ＬＴＥでは、上りの無線アクセス方式として、Ｓｉｎｇｌｅ  Ｃａｒｒｉｅｒ  Ａｃｃｅｓｓ（ＳＣ−ＦＤＭＡ）が採用されている。また、ＬＴＥでは、下りの無線アクセス方式として、Ｏｒｔｈｏｇｏｎａｌ  Ｆｒｅｑｕｅｎｃｙ  Ｍｕｌｔｉｐｌｅ  Ａｃｃｅｓｓ（ＯＦＤＭＡ）が採用されている。
ＯＦＤＭＡの特徴は、周波数の直交性を利用することである。ＯＦＤＭＡでは、複数の搬送波（サブキャリア）が多重化される。このため、ＯＦＤＭＡは、フェージングやマルチパス干渉に対する耐性が強いと言われている。
ＳＣ−ＦＤＭＡの特徴は、ＯＦＤＭＡと類似している。ＯＦＤＭＡとの違いは、ユーザに割り当てる搬送波が連続であるという点である。この特徴により、ＳＣ−ＦＤＭＡでは、ＯＦＤＭＡと比べて、上りの電力効率の改善が見込まれている。
ＬＴＥにて提供される上り無線リソースは周波数、時間成分に分割される。分割された無線リソースはユーザに割り当てられる。
非特許文献１、非特許文献２および非特許文献３には、ＬＴＥの中継基地局が規定されている。中継基地局は、無線基地局とＵｎリンクにより接続され、セルを構成する。無線基地局のうち、特に中継基地局を収容する無線基地局は、Ｄｏｎｎｅｒ  ｅＮｏｄｅＢ（ＤｅＮＢ）と呼ばれる。ＤｅＮＢは、コアネットワークと中継基地局間のデータを転送する。
ネットワークに接続する移動端末は、接続先のセルから他のセルに移動する際に、接続先のセルを切り替える。この処理はハンドオーバと呼ばれる。
このとき、移動端末の負荷を軽減してハンドオーバを高速に処理するため、一般的に、ハンドオーバ先のセルの候補を、隣接セルのうち特定のセルに限定する方法が用いられる。ここで、ハンドオーバ先のセルの候補を示すリストが、隣接セルリストと呼ばれる。
隣接セルリストは、セルごとに通信事業者やネットワークの管理者がセルを登録することで生成される。また、隣接セルリストは、セルを管理する無線基地局から下り回線を介して移動端末に報知される。
隣接セルリストには、セルごとに優先度が定められている。隣接セルリストの優先度は、一般的にはハンドオーバ実施回数とハンドオーバ成功率に基づいて決定される。ハンドオーバ実施回数が多く、かつハンドオーバ成功率が高い隣接セルほど、優先度が高く設定される。一方、隣接セルリストにセルが追加されても、ハンドオーバが発生していないセルや、ハンドオーバ回数が大きくてもハンドオーバに失敗しやすいセルは、次の隣接セルリスト更新時に削除される。
また、無線基地局は、セルの負荷状況を監視する。負荷状況は、Ｐｈｙｓｉｃａｌ  Ｒｅｓｏｕｒｃｅ  Ｂｌｏｃｋ（ＰＲＢ）の使用率、ハードウェアの負荷、バックホールリンクの負荷、無線基地局全体での負荷の情報、等により示される。非特許文献１には、隣り合う無線基地局が各セルの負荷状況を報告する方法が規定されている。
さらに、無線基地局は、移動端末の移動履歴を収集する。移動履歴はハンドオーバを通知するメッセージに含まれる。非特許文献１には、無線基地局間で移動端末の移動履歴を通知する方法が規定されている。具体的には、Ｈａｎｄｏｖｅｒ  Ｒｅｑｕｅｓｔに含まれる、ＵＥ（Ｕｓｅｒ  Ｅｑｕｉｐｍｅｎｔ）Ｈｉｓｔｏｒｙ  Ｉｎｆｏｒｍａｔｉｏｎにより通知される。このＵＥ  Ｈｉｓｔｏｒｙ  Ｉｎｆｏｒｍａｔｉｏｎには、セルＩＤとともに、そのセルのカバレッジエリアの情報を格納することができる。これにより、無線基地局は周辺セルのカバレッジエリアについての情報を入手できる。
上述したような無線ネットワークは、主としてマクロ無線基地局により構成されていた。マクロ無線基地局は大きいエリアをカバーできるため、通信事業者が設置する無線基地局の数は少なかった。しかし、近年、スマートフォン等の頻繁にインターネット接続する移動端末が増加したことにより、多くの無線基地局を設置する必要が生じている。結果、マクロ無線基地局に加えてカバレッジエリアの小さいピコセルや中継基地局の設置を検討する通信事業者が増加している。結果、１つのセルに隣接するセル数が増加し、隣接セルリストを手動で作成することが困難になっている。
また、関連する技術として、無線基地局や中継基地局のセルを設定する技術の一例が、特許文献１に記載されている。特許文献２には、セル間でのトラフィックを分散させるようにアンテナ角を設定する技術が記載されている。
【先行技術文献】
【特許文献】
【０００３】
【特許文献１】再公表ＷＯ２００６／０５４３４１号公報
【特許文献２】再公表ＷＯ２００７／０６０８０８号公報
【非特許文献】
【０００４】
【非特許文献１】３ＧＰＰ  Ｔｅｃｈｎｉｃａｌ  Ｓｐｅｃｉｆｉｃａｔｉｏｎ  ３６．４２３  Ｒｅｌｅａｓｅ  １０．０．０
【非特許文献２】３ＧＰＰ  Ｔｅｃｈｎｉｃａｌ  Ｓｐｅｃｉｆｉｃａｔｉｏｎ  ３６．３３１  Ｒｅｌｅａｓｅ  １０．０．０
【非特許文献３】３ＧＰＰ  Ｔｅｃｈｎｉｃａｌ  Ｓｐｅｃｉｆｉｃａｔｉｏｎ  ３６．１３３  Ｒｅｌｅａｓｅ  １０．１．０
【発明の開示】
【発明が解決しようとする課題】
【０００５】
上述したような隣接セルリストを自動作成する場合、セルの優先度の指標としては、上述したハンドオーバの実施回数やハンドオーバの成功率に加え、セルのカバレッジエリアやセルの負荷を採用する場合がある。
一般的に、隣接セルリストに、ピコセルや中継基地局等のカバレッジエリアが小さいセルが多く含まれている場合には、高速で移動する移動端末がハンドオーバに失敗する確率が高くなる。
また、隣接セルリストに負荷が高いセルが多く含まれている場合には、移動端末が負荷の高いセルにハンドオーバすると、ハンドオーバ先のセルのリソース不足を招く可能性が高い。
従って、隣接セルリスト内のセルの数が、カバレッジエリアが小さいセルや、負荷の高いセルが多く含まれている等、ある特定の条件を満たさないような場合には、移動端末のハンドオーバ失敗率が高くなるという問題があった。
本発明の目的は、上述した課題を解決することが可能な、管理方法、管理ノード、通信システム、およびプログラムの記録媒体を提供することにある。
【課題を解決するための手段】
【０００６】
本発明による管理方法は、セルを管理する無線基地局から、前記無線基地局のセルの情報を収集し、前記収集したセルの情報に基づいて、前記無線基地局に隣接するセルのリスト内のセルの数が特定の条件を満たすように前記リストを変更する、ことを含む。
本発明による管理ノードは、セルを管理する無線基地局と接続する管理ノードであって、前記無線基地局から、前記無線基地局のセルの情報を収集する収集手段と、前記収集したセルの情報に基づいて、前記無線基地局に隣接するセルのリスト内のセルの数が特定の条件を満たすように前記リストを変更するリスト変更手段と、を備える。
本発明による通信システムは、セルを管理する無線基地局と、前記無線基地局と接続する管理ノードと、を備える通信システムであって、前記管理ノードは、前記無線基地局から、前記無線基地局のセルの情報を収集する収集手段と、前記収集したセルの情報に基づいて、前記無線基地局に隣接するセルのリスト内のセルの数が特定の条件を満たすように前記リストを変更するリスト変更手段と、を備えることを特徴とする。
本発明によるプログラムの記録媒体は、セルを管理する無線基地局から、前記無線基地局のセルの情報を収集する収集処理と、前記収集したセルの情報に基づいて、前記無線基地局に隣接するセルのリスト内のセルの数が特定の条件を満たすように前記リストを変更するリスト変更処理と、をコンピュータに実行させるプログラムを記録する。
【発明の効果】
【０００７】
本発明によれば、隣接セルリスト内のセルの数が、カバレッジエリアが小さいセルや、負荷が高いセルが多く含まれている等、ある特定の条件を満たさないような場合であっても、移動端末のハンドオーバの成功率を高めることが可能である。
【図面の簡単な説明】
【０００８】
【図１】第１の実施形態による管理ノードを示す図である。
【図２】第１の実施形態による処理を示すフローチャートである。
【図３】第２の実施形態による通信システムを示す図である。
【図４】第２の実施形態による管理ノードを示す図である。
【図５】第２の実施形態による判定手段を示す図である。
【図６】第２の実施形態による管理テーブルを示す図である。
【図７】第２の実施形態による隣接セルリストを示す図である。
【図８】第２の実施形態による処理を示すフローチャートである。
【図９】第２の実施形態による処理を示すフローチャートである。
【図１０】第２の実施形態による隣接セルリストを示す図である。
【発明を実施するための形態】
【０００９】
以降、本発明の実施形態について、図面を参照して説明する。
＜第１の実施形態＞
図１は、第１の実施形態による管理ノード１０００を示す。管理ノード１０００は、図示されていない無線基地局と接続されている。また、無線基地局は、セルを管理する。
図１によれば、管理ノード１０００は、収集手段１００１と、リスト変更手段１００２とを有する。この管理ノード１０００の動作について、図２のフローチャートを用いて以下に説明する。
まず、収集手段１００１は、無線基地局から、無線基地局が管理するセルの情報を収集する（Ｓ１００１）。
リスト変更手段１００２は、収集手段１００１が収集したセルの情報に基づいて、無線基地局に隣接するセルのリスト内のセルの数が、特定の条件を満たすようにリストを変更する（Ｓ１００２）。
なお、上記の動作Ｓ１００１とＳ１００２は、それぞれ管理ノード１０００が行うと説明したが、これに限られるものではない。管理ノード１０００ではない、その他の通信装置や無線基地局等が、上記の管理ノード１０００の機能を有していても良い。
（効果）
以上説明した通り、第１の実施形態による管理ノード１０００は、リスト内のセルの数が特定の条件を満たすようにリストを変更する。
従って、第１の実施形態によれば、リスト内にカバレッジエリアが小さいセルや負荷が大きいセルが多く含まれている等、リスト内のセルの数が特定の条件を満たさないような場合であっても、移動端末のハンドオーバの成功率を高めることが可能である。
＜第２の実施形態＞
（システム構成）
図３は、第２の実施形態による通信システムを示す。図３によれば、通信システムは、管理ノード１００、ＭＭＥ（Ｍｏｂｉｌｉｔｙ  Ｍａｎａｇｅｍｅｎｔ  Ｅｎｔｉｔｙ）３０１、Ｓ−ＧＷ（Ｓａｖｉｎｇ−Ｇａｔｅｗａｙ）３０２、無線基地局３０３、無線基地局３０４を含む。通信システムは、さらに、中継基地局３０５、移動端末３０６、移動端末３０７を含む。
なお、以降、無線基地局３０３と無線基地局３０４とを特に区別しない場合には、単に無線基地局と呼ぶ。
図３に示す通信システムは、どのようなネットワークで構成されていても良いが、以下では、ＬＴＥを用いたネットワークを例にとって説明する。
まず、ＭＭＥ３０１は、無線基地局との間で、Ｓ１−ＭＭＥリンクを介して制御信号を送信および受信する機能を有する。
Ｓ−ＧＷ３０２は、無線基地局との間でＳ１−Ｕリンクを介してユーザデータを送信および受信する機能を有する。
無線基地局の各々がセルを管理する。また、無線基地局は、中継基地局を収容することができる。図３では、無線基地局３０４が、中継基地局３０５を収容する。中継基地局３０５を収容する無線基地局３０４は、ＤｅＮＢとも呼ばれる。無線基地局間はＸ２リンクで接続される。
また、無線基地局３０４と中継基地局３０５は、Ｕｎリンクで接続される。無線基地局はＭＭＥ３０１およびＳ−ＧＷ３０２と中継基地局３０５間のデータの転送機能を有する。ＭＭＥ３０１およびＳ−ＧＷ３０２と中継基地局３０５間のデータは、Ｓ１１リンクを介して転送される。
管理ノード１００は、無線基地局３０３と接続されており、隣接セルリストを作成し、無線基地局および中継基地局３０５へ隣接セルリスト更新の指示を出す。また、管理ノード１００は無線基地局および中継基地局３０５からカバレッジエリアについての情報、中継基地局であるかどうかの情報、およびセルの負荷に関する情報を収集する機能を有する。この管理ノード１００については、後に詳しく説明する。
また、図３に示した各装置は上述したもの以外にも多数の機能を持つが、その詳細な機能についての説明は省略する。
（管理ノードの構成）
図４は、管理ノード１００の構成を示す図である。図４によれば、管理ノード１００は、収集手段１０１、リスト変更手段１０２、隣接セルリスト１０３、判定手段１０４、管理テーブル１０５を含む。
収集手段１０１は、無線基地局から、無線基地局が管理するセルの情報を収集する。セルの情報としては、セルのカバレッジエリアの大きさや、セルにかかる負荷等が挙げられる。
リスト変更手段１０２は、判定手段１０４によって、隣接セルリスト１０３の変更が必要と判断された場合に、隣接セルリスト１０３を変更する。
隣接セルリスト１０３には、管理ノード１００が管理する無線基地局それぞれの隣接セルリストが格納されている。
判定手段１０４は、収集手段１０１が収集したセルの情報に基づいて、隣接セルリスト１０３の変更が必要かどうかを判定する。この判定手段１０４については、後に詳しく説明する。
管理テーブル１０５には、管理ノード１００が管理する無線基地局の各セルに関する情報が格納されている。
次に、判定手段１０４の構成について、図５を参照して説明する。図５によれば、判定手段１０４は、負荷判定手段１０４１と、エリア判定手段１０４２を含む。
負荷判定手段１０４１は、隣接セルリスト１０３に記載された各セルの負荷が、閾値を越えているかどうかを判定する。
この場合、リスト変更手段１０２は、負荷が閾値を越えていると判定されたセルの数が閾値を越えないように、隣接セルリスト１０３を変更する。
エリア判定手段１０４２は、隣接セルリスト１０３に記載された各セルのカバレッジエリアが大きいか、または小さいかを判定する。カバレッジエリアの大小は、例えば、エリアの面積の大きさに閾値を設けて、各セルのカバレッジエリアがその閾値を越えているかどうかで判定することができる。
この場合、リスト変更手段１０２は、カバレッジエリアが小さいと判定されたセルの数が閾値を越えないように、隣接セルリスト１０３を変更する。
なお、負荷判定手段１０４１による処理と、エリア判定手段１０４２による処理は、どちらか一方だけが単独で行われても良いし、双方が並行して同時に行われても良い。
図６は、管理テーブル１０５の詳細を示した図である。管理テーブル１０５は、管理ノード１００が管理する各セルのセルＩＤ、カバレッジエリアの大小を記憶する。また、セルを管理する無線基地局が中継基地局を収容する場合には、収容する中継基地局のセルを記憶する。もしくは、管理テーブル１０５には、中継基地局を収容する無線基地局と、中継基地局のトポロジ情報を記憶しても良い。図６の例では、セルＩＤ＃ａ、＃ｂ、＃ｃの３つのセルを管理する無線基地局３０４が、収容する中継基地局３０５の管理するセル＃ｅと対応付けられて、管理テーブル１０５に記憶されている。また、セルＩＤ＃ｄと＃ｆを管理する無線基地局は、無線基地局３０３であるとする。
図７は、隣接セルリスト１０３の詳細を示す。隣接セルリスト１０３は、各セルのセルＩＤに対して行われたハンドオーバの実施回数とハンドオーバの成功率、カバレッジエリアの大小と、セルの負荷の大小が記憶されている。
図７の例では、各セルのハンドオーバ回数とハンドオーバ成功率を積算した値が高いほど、優先度を高くしている。図７の例では、積算値の降順にセルが並べられている。
（動作）
続いて、第２の実施形態による通信システムの動作について、図８を用いて説明する。図８は、第２の実施形態による通信システムの動作を示したフローチャートである。なお、Ｓ１０２、Ｓ１０３、Ｓ１０４については、後に具体例を用いて詳細に説明する。
まず、収集手段１０１は、管理ノード１００が管理する無線基地局のうち、隣接セルリストを作成する無線基地局から、隣接するセルの情報を収集する（Ｓ１０１）。収集する情報としては、例えば、無線基地局に設定されたセルのカバレッジエリアについての情報、セルの負荷に関する情報、無線基地局が中継基地局であるかどうかの情報が挙げられる。無線基地局が中継基地局である場合には、中継基地局のＤｅＮＢを管理ノード１００へ通知する。管理ノード１００は、セルの負荷の大きさと、セルのカバレッジエリアの面積等、エリアの大きさを示す情報をセルＩＤと括り付けて、管理テーブル１０５と、隣接セルリスト１０３に格納する。また、ＤｅＮＢについては、中継基地局との関係を示すトポロジ情報を管理テーブル１０５に格納する。管理ノード１００は、周期的にハンドオーバ実施回数にハンドオーバ成功率を積算して各セルの優先度を計算し、その値が大きい順に隣接セルリスト１０３を作成、または更新する。
なお、収集手段１０１は、周期的に情報を収集しても良いし、任意のタイミングで情報を収集しても良い。また、既に隣接セルリスト１０３が作成されている場合には、収集手段１０１が隣接セルリスト１０３を周期的に更新しても良い。さらに、収集手段１０１は、隣接セルリスト１０３に記憶された各セルのハンドオーバ回数やハンドオーバ成功率が、あらかじめ設定された閾値以下となった場合に、情報の更新を行っても良い。
次に、判定手段１０４は、隣接セルリスト１０３に記載された各セルについて、カバレッジエリアと、セルにかかる負荷が大きいか小さいかの判定を行う（Ｓ１０２）。セルにかかる負荷を判定する場合には、負荷判定手段１０４１が処理を行う。一方、セルにかかるカバレッジエリアを判定する場合には、エリア判定手段１０４２が処理を行う。上述したように、これら２つの処理は、いずれか一方のみが行われても良いし、双方が同時に並行して行われても良い。
Ｓ１０２の負荷判定とエリア判定の結果を受けて、リスト変更手段１０２が、隣接セルリスト１０３を変更する必要があるかどうかを判定する（Ｓ１０３）。リスト変更手段１０２は、隣接セルリスト１０３が、あらかじめ設定された特定の条件を満たしているかどうかを判定する。例えば、リスト変更手段１０２は、Ｓ１０２で負荷が大きいと判定されたセルの数や、カバレッジエリアが小さいと判定されたセルの数が閾値より大きくなったときに、隣接セルリスト１０３を変更する必要があると判定する。
より具体的には、管理ノード１００は、無線基地局が管理するセルの隣接セルリストに、ピコセルや中継基地局等、カバレッジエリアの小さいセルが占める数の閾値ａを設定する。また、管理ノード１００は、隣接セルリストに、負荷の高いセルが占める数の閾値ｂを設定する。
Ｓ１０３の結果、隣接セルリスト１０３の変更が必要ないと判定された場合には、Ｓ１０１の処理に戻る。一方、Ｓ１０３の結果、隣接セルリスト１０３の変更が必要と判定された場合には、リスト変更手段１０２は、隣接セルリスト１０３内のセルの数が、あらかじめ設定された特定の条件を満たすように、隣接セルリスト１０３を変更する（Ｓ１０４）。リスト変更手段１０２は、例えば、Ｓ１０２で負荷が大きいと判定されたセルの数が閾値ａ以下になるように、隣接セルリスト１０３を変更する。同様に、リスト変更手段１０２は、カバレッジエリアが小さいと判定されたセルの数が閾値ｂ以下になるように、隣接セルリスト１０３を変更する。
次に、Ｓ１０２の負荷判定手段１０４１の処理について、詳細に説明する。図９は、Ｓ１０２において、判定手段１０４の負荷判定手段１０４１が負荷判定を行う際の処理を示すフローチャートである。
まず、負荷判定手段１０４１は、管理ノード１００が管理する無線基地局に設定されたセルの負荷を監視する。ここで、負荷判定手段１０４１は、各セルの負荷が、あらかじめ設定された閾値ｃより大きいかどうかを判定する（Ｓ１１１）。なお、Ｓ１１１の処理は、周期的に行われても良い。
Ｓ１１１の結果、負荷判定手段１０４１は、セルの負荷が閾値ｃより大きい場合には、そのセルの負荷は大きいと判定する（Ｓ１１２）。また、Ｓ１１１の結果、負荷判定手段１０４１は、セルの負荷が閾値ｃ以下であった場合には、そのセルの負荷は小さいと判定する（Ｓ１１３）。
上記のＳ１１１、Ｓ１１２、Ｓ１１３の処理は、管理ノード１００が管理する無線基地局に設定されたすべてのセルに対して繰り返し行われる（Ｓ１１４）。
すべてのセルに対して負荷の監視を終えると、負荷判定手段１０４１は、負荷が大きいと分類されたセルに対して、再度のチェックを行う。負荷判定手段１０４１は、負荷が大きいと判定されたセルに対して、そのセルを管理する無線基地局がＤｅＮＢかどうかを確認する（Ｓ１１５）。
Ｓ１１５の結果、セルがＤｅＮＢによって管理されている場合には、ＤｅＮＢに接続された中継基地局のセルについても、負荷が大きいと判定して処理を終了する（Ｓ１１６）。一方、Ｓ１１５の結果、負荷が大きいと分類されたセルのうち、セルを管理する無線基地局がＤｅＮＢではないセルについては、何も行わずに処理を終了する。なお、Ｓ１１６の処理は、負荷判定手段１０４１が、管理テーブル１０５に記憶された無線基地局と中継基地局のトポロジ情報を参照しながら行う。
（具体例）
次に、管理ノード１００が、隣接セルリスト１０３を変更する場合の具体例について、図７と図１０を参照して説明する。
図７は、上述の通り、管理ノード１００が作成する優先度順の隣接セルリスト１０３の一例である。ハンドオーバ実施回数にハンドオーバ成功率を積算した値が大きいセルの順に並べられている。
図７の隣接セルリスト１０３は、既にＳ１０２の負荷判定とエリア判定が行われて、その結果が反映されたものである。
Ｓ１０３では、リスト変更手段１０２が、カバレッジエリアの小さいセルの数の閾値ａと、負荷の大きいセルの数の閾値ｂの条件が満たされるように、隣接セルリスト１０３を変更する。
図１０は、閾値ａと閾値ｂを満たす隣接セルリスト１０３を示している。ここでは閾値ａおよび閾値ｂを３と設定したときの例を示している。図１０の隣接セルリストでは、セル＃ａから＃ｆのうち、カバレッジエリアが小さいと判定されたセルは、＃ｄと＃ｅの２個に留まっており、閾値ａで定義される条件を満たしている。一方、セルの負荷が大きいと判定されたセルは、＃ａ、＃ｃ、＃ｄ、＃ｅの４個であり、閾値ｂを越えている。従って、リスト変更手段１０２は、負荷が大きいセルの数が３個以下になるように、隣接セルリスト１０３を変更する。図１０の例では、リスト変更手段１０２は、負荷が大きいセルのうち、最も優先度が低い＃ｅを一時的に削除する。もしくは、リスト変更手段１０２は、＃ｅを隣接セルリストの下位に並べ替えても良いし、一時的に＃ｅを参照できないようにしても良い。
（効果）
以上説明した通り、第２の実施形態による管理ノード１００は、隣接セルリスト１０３内のセルの数が特定の条件を満たすようにリストを変更している。
従って、第２の実施形態によれば、隣接セルリスト１０３にカバレッジエリアが小さいセルや負荷が大きいセルが多く含まれている等、隣接セルリスト１０３のセルの数が特定の条件を満たさない場合であっても、移動端末のハンドオーバの成功率を高めることが可能である。
（他の実施形態）
第１の実施形態による管理ノード１０００または第２の実施形態による管理ノード１００の機能を、いずれかの無線基地局に持たせることも可能である。無線基地局は、セルのカバレッジエリアについての情報、中継基地局であるかどうかの情報、およびセル負荷についての情報を利用して隣接セルリストを作成する。無線基地局は、Ｘ２リンクを介して、必要な情報を収集する。
以上、実施形態を参照して本願発明を説明したが、本願発明は上記実施形態に限定されるものではない。本願発明の構成や詳細には、本願発明のスコープ内で当業者が理解し得る様々な変更をすることができる。
また、上記の実施形態による管理ノード、無線基地局、通信システムは、その有する機能をハードウェアで実現することも可能であるし、コンピュータと、コンピュータ上で実行されるプログラムとで実現することも可能である。プログラムは、磁気ディスクや半導体メモリ等の記録媒体に記録されて提供され、コンピュータの立ち上げ時などにコンピュータに読み取られる。このようにコンピュータの動作を制御し、コンピュータを上述の各実施形態における管理ノード、無線基地局、通信システムとして機能させ、前述した処理を行わせる。
この出願は、２０１１年９月１日に出願された日本出願特願２０１１−１９０６１２を基礎とする優先権を主張し、その開示の全てをここに取り込む。
さらに、上記の実施形態の一部または全部は、以下の付記のようにも記載され得るが、以下には限られない。
（付記１）
セルを管理する無線基地局から、前記無線基地局のセルの情報を収集する収集ステップと、
前記収集したセルの情報に基づいて、前記無線基地局に隣接するセルのリスト内のセルの数が特定の条件を満たすように前記リストを変更するリスト変更ステップと、
を含むことを特徴とする管理方法。
（付記２）
前記セルの情報は、前記セルの負荷の情報を含む付記１に記載の管理方法。
（付記３）
前記管理方法は、さらに、
前記リスト内の各セルの負荷が第１の閾値を越えているかどうかを判定する負荷判定ステップを含み、
前記特定の条件は、前記負荷が第１の閾値を越えていると判定されたセルの数が、第２の閾値を越えないことを含むことを特徴とする付記２に記載の管理方法。
（付記４）
前記セルの情報は、前記セルのカバレッジエリアの面積の情報を含む付記１から３のいずれか１つに記載の管理方法。
（付記５）
前記管理方法は、さらに、
前記リスト内の各セルのカバレッジエリアが大きいか小さいかを判定するエリア判定ステップを含み、
前記特定の条件は、前記カバレッジエリアが小さいと判定されたセルの数が、第３の閾値を越えないことを含むことを特徴とする付記４に記載の管理方法。
（付記６）
前記リストの変更は、前記リスト内のセルのうち、前記特定の条件を満たすセルを前記リストの上位に並び替えることを含むことを特徴とする付記１から５のいずれか１つに記載の管理方法。
（付記７）
前記リストの変更は、前記リスト内のセルのうち、前記特定の条件を満たさないセルを前記リストから削除することを含むことを特徴とする付記１から６のいずれか１つに記載の管理方法。
（付記８）
前記収集ステップは、前記セルの負荷情報を周期的に収集し、
前記リスト内のセルの負荷情報を更新することを特徴とする付記１から７のいずれか１つに記載の管理方法。
（付記９）
前記収集ステップは、前記リスト内のセルのハンドオーバ成功回数が第４の閾値以下になった場合に、前記リスト内のセルの負荷情報を更新することを特徴とする付記８に記載の管理方法。
（付記１０）
前記収集ステップは、前記セルのカバレッジエリアの面積情報を周期的に収集し、
前記リスト内のセルのカバレッジエリアの面積情報を更新することを特徴とする付記１から９のいずれか１つに記載の管理方法。
（付記１１）
前記収集ステップは、前記リスト内のセルのハンドオーバ成功回数が第４の閾値以下になった場合に、前記リスト内のセルのカバレッジエリアの面積情報を更新することを特徴とする付記１０に記載の管理方法。
（付記１２）
セルを管理する無線基地局と接続する管理ノードであって、
前記無線基地局から、前記無線基地局のセルの情報を収集する収集手段と、
前記収集したセルの情報に基づいて、前記無線基地局に隣接するセルのリスト内のセルの数が特定の条件を満たすように前記リストを変更するリスト変更手段と、
を備えることを特徴とする管理ノード。
（付記１３）
前記セルの情報は、前記セルの負荷の情報を含む付記１２に記載の管理ノード。
（付記１４）
前記管理ノードは、さらに、
前記リスト内の各セルの負荷が第１の閾値を越えているかどうかを判定する負荷判定手段を備え、
前記特定の条件は、前記負荷が第１の閾値を越えていると判定されたセルの数が、第２の閾値を越えないことを含むことを特徴とする付記１３に記載の管理ノード。
（付記１５）
前記セルの情報は、前記セルのカバレッジエリアの面積の情報を含む付記１２から１４のいずれか１つに記載の管理ノード。
（付記１６）
前記管理ノードは、さらに、
前記リスト内の各セルのカバレッジエリアが大きいか小さいかを判定するエリア判定手段を備え、
前記特定の条件は、前記カバレッジエリアが小さいと判定されたセルの数が、第３の閾値を越えないことを含むことを特徴とする付記１５に記載の管理ノード。
（付記１７）
前記リストの変更は、前記リスト内のセルのうち、前記特定の条件を満たすセルを前記リストの上位に並び替えることを含むことを特徴とする付記１２から１６のいずれか１つに記載の管理ノード。
（付記１８）
前記リストの変更は、前記リスト内のセルのうち、前記特定の条件を満たさないセルを前記リストから削除することを含むことを特徴とする付記１２から１７のいずれか１つに記載の管理ノード。
（付記１９）
前記収集手段は、前記セルの負荷情報を周期的に収集し、
前記リスト内のセルの負荷情報を更新することを特徴とする付記１２から１８のいずれか１つに記載の管理ノード。
（付記２０）
前記収集手段は、前記リスト内のセルのハンドオーバ成功回数が第４の閾値以下になった場合に、前記リスト内のセルの負荷情報を更新することを特徴とする付記１９に記載の管理ノード。
（付記２１）
前記収集手段は、前記セルのカバレッジエリアの面積情報を周期的に収集し、
前記リスト内のセルのカバレッジエリアの面積情報を更新することを特徴とする付記１２から２０のいずれか１つに記載の管理ノード。
（付記２２）
前記収集手段は、前記リスト内のセルのハンドオーバ成功回数が第４の閾値以下になった場合に、前記リスト内のセルのカバレッジエリアの面積情報を更新することを特徴とする付記２１に記載の管理ノード。
（付記２３）
セルを管理する無線基地局と、
前記無線基地局と接続する管理ノードと、
を備える通信システムであって、
前記管理ノードは、
前記無線基地局から、前記無線基地局のセルの情報を収集する収集手段と、
前記収集したセルの情報に基づいて、前記無線基地局に隣接するセルのリスト内のセルの数が特定の条件を満たすように前記リストを変更するリスト変更手段と、
を備えることを特徴とする通信システム。
（付記２４）
前記セルの情報は、前記セルの負荷の情報を含む付記２３に記載の通信システム。
（付記２５）
前記管理ノードは、さらに、
前記リスト内の各セルの負荷が第１の閾値を越えているかどうかを判定する負荷判定手段を備え、
前記特定の条件は、前記負荷が第１の閾値を越えていると判定されたセルの数が、第２の閾値を越えないことを含むことを特徴とする付記２４に記載の通信システム。
（付記２６）
前記セルの情報は、前記セルのカバレッジエリアの面積の情報を含む付記２３から２５のいずれか１つに記載の通信システム。
（付記２７）
前記管理ノードは、さらに、
前記リスト内の各セルのカバレッジエリアが大きいか小さいかを判定するエリア判定手段を備え、
前記特定の条件は、前記カバレッジエリアが小さいと判定されたセルの数が、第３の閾値を越えないことを含むことを特徴とする付記２６に記載の通信システム。
（付記２８）
前記リストの変更は、前記リスト内のセルのうち、前記特定の条件を満たすセルを前記リストの上位に並び替えることを含むことを特徴とする付記２３から２７のいずれか１つに記載の通信システム。
（付記２９）
前記リストの変更は、前記リスト内のセルのうち、前記特定の条件を満たさないセルを前記リストから削除することを含むことを特徴とする付記２３から２８のいずれか１つに記載の通信システム。
（付記３０）
前記収集手段は、前記セルの負荷情報を周期的に収集し、
前記リスト内のセルの負荷情報を更新することを特徴とする付記２３から２９のいずれか１つに記載の通信システム。
（付記３１）
前記収集手段は、前記リスト内のセルのハンドオーバ成功回数が第４の閾値以下になった場合に、前記リスト内のセルの負荷情報を更新することを特徴とする付記３０に記載の通信システム。
（付記３２）
前記収集手段は、前記セルのカバレッジエリアの面積情報を周期的に収集し、
前記リスト内のセルのカバレッジエリアの面積情報を更新することを特徴とする付記２３から３１のいずれか１つに記載の通信システム。
（付記３３）
前記収集手段は、前記リスト内のセルのハンドオーバ成功回数が第４の閾値以下になった場合に、前記リスト内のセルのカバレッジエリアの面積情報を更新することを特徴とする付記３２に記載の通信システム。
（付記３４）
セルを管理する無線基地局から、前記無線基地局のセルの情報を収集する収集処理と、
前記収集したセルの情報に基づいて、前記無線基地局に隣接するセルのリスト内のセルの数が特定の条件を満たすように前記リストを変更するリスト変更処理と、
をコンピュータに実行させることを特徴とするプログラム。
（付記３５）
前記セルの情報は、前記セルの負荷の情報を含む付記３４に記載のプログラム。
（付記３６）
前記プログラムは、さらに、
前記リスト内の各セルの負荷が第１の閾値を越えているかどうかを判定する負荷判定処理を含み、
前記特定の条件は、前記負荷が第１の閾値を越えていると判定されたセルの数が、第２の閾値を越えないことを含むことを特徴とする付記３５に記載のプログラム。
（付記３７）
前記セルの情報は、前記セルのカバレッジエリアの面積の情報を含む付記３４から３６のいずれか１つに記載のプログラム。
（付記３８）
前記プログラムは、さらに、
前記リスト内の各セルのカバレッジエリアが大きいか小さいかを判定するエリア判定処理を含み、
前記特定の条件は、前記カバレッジエリアが小さいと判定されたセルの数が、第３の閾値を越えないことを含むことを特徴とする付記３７に記載のプログラム。
（付記３９）
前記リストの変更は、前記リスト内のセルのうち、前記特定の条件を満たすセルを前記リストの上位に並び替えることを含むことを特徴とする付記３４から３８のいずれか１つに記載のプログラム。
（付記４０）
前記リストの変更は、前記リスト内のセルのうち、前記特定の条件を満たさないセルを前記リストから削除することを含むことを特徴とする付記３４から３９のいずれか１つに記載のプログラム。
（付記４１）
前記収集処理は、前記セルの負荷情報を周期的に収集し、
前記リスト内のセルの負荷情報を更新することを特徴とする付記３４から４０のいずれか１つに記載のプログラム。
（付記４２）
前記収集処理は、前記リスト内のセルのハンドオーバ成功回数が第４の閾値以下になった場合に、前記リスト内のセルの負荷情報を更新することを特徴とする付記４１に記載のプログラム。
（付記４３）
前記収集処理は、前記セルのカバレッジエリアの面積情報を周期的に収集し、
前記リスト内のセルのカバレッジエリアの面積情報を更新することを特徴とする付記３４から４２のいずれか１つに記載のプログラム。
（付記４４）
前記収集処理は、前記リスト内のセルのハンドオーバ成功回数が第４の閾値以下になった場合に、前記リスト内のセルのカバレッジエリアの面積情報を更新することを特徴とする付記４３に記載のプログラム。
【符号の説明】
【００１０】
１００、１０００    管理ノード
１０１、１００１    収集手段
１０２、１００２    リスト変更手段
１０３    隣接セルリスト
１０４    判定手段
１０５    管理テーブル
３０１    ＭＭＥ
３０２    Ｓ−ＧＷ
３０３    無線基地局
３０４    無線基地局（ＤｅＮＢ）
３０５    中継基地局
３０６、３０７    移動端末
１０４１    負荷判定手段
１０４２    エリア判定手段
【図１】
2013031791.tif 000003
【図２】
2013031791.tif 000004
【図３】
2013031791.tif 000005
【図４】
2013031791.tif 000006
【図５】
2013031791.tif 000007
【図６】
2013031791.tif 000008
【図７】
2013031791.tif 000009
【図８】
2013031791.tif 000010
【図９】
2013031791.tif 000011
【図１０】
2013031791.tif 000012
【国際調査報告】
2013031791.tif 000013
2013031791.tif 000014
2013031791.tif 000015
2013031791.tif 000016